(57)【要約】【課題】開放絞り値の事前把握が困難なレンズ装置が装着された場合、プログラム線図における位置の把握が困難となる。【解決手段】被写体を撮像する撮像手段と、これに着脱可能で絞り機構を備えた光学装置と、撮像された被写体に対して、任意のプログラム線図に基づいて自動で露出を調整する自動露出手段と、これにより設定された現在の露出設定値がプログラム線図中のどの位置にいるかを算出する線図位置情報算出手段と、を備えた撮影装置であって、光学装置から絞り機構の開放絞り値を検出する開放絞り値検知手段と、線図位置情報算出手段により算出された線図位置情報を表示する表示手段と、開放絞り値検知手段によって開放絞り値が検出できた場合は、線図位置情報表示手段によって、信頼性のある値であることを示す線図位置表示を行い、開放絞り値検知手段によって、開放絞り値が得らない場合は、線図位置情報表示手段によって、信頼性のない値であることを示す線図位置表示を行う。【選択図】図２
2018189674.tif 000002
【特許請求の範囲】
【請求項１】
被写体を撮像するための撮像手段と、
前記撮像手段に着脱可能で絞り機構を備えた光学装置と、
前記撮像手段により撮像された被写体に対して、任意のプログラム線図に基づいて自動で露出を調整するための自動露出手段と、
前記自動露出手段により設定された現在の露出設定値が前記プログラム線図中のどの位置にいるかを算出する線図位置情報算出手段と、
を備えた撮影装置であって、
前記光学装置から前記絞り機構の開放絞り値を検出するための開放絞り値検知手段と、
前記線図位置情報算出手段により算出された線図位置情報を表示するための表示手段と、
前記開放絞り値検知手段によって前記開放絞り値が検出できた場合は、前記線図位置情報表示手段によって、信頼性のある値であることを示す線図位置表示を行い、
前記開放絞り値検知手段によって、開放絞り値が得らない場合は、前記線図位置情報表示手段によって、信頼性のない値であることを示す線図位置表示を行うことを特徴とする撮像装置。
【請求項２】
前記絞り機構に加え、変倍レンズ機構を備えた前記光学装置と、前記変倍レンズ機構の動作により前記光学装置の焦点距離が変化したことを検知する焦点距離状態検出手段と、前記焦点距離状態検出手段によって前記光学装置の焦点距離が変化したことを検知した場合、前記線図位置情報表示手段によって、信頼性のない値であることを示す線図位置表示を行うことを特徴とする請求項１に記載の撮像装置。
【請求項３】
前記線図位置情報算出手段は、前記開放絞り値検知手段によって開放絞り値が得られない場合、現在の絞り位置を開放端として線図位置情報算出を行い、前記線図位置情報表示手段によって、信頼性のない値であることを示す線図位置表示を行うことを特徴とする請求項１又は請求項２に記載の撮像装置。
【請求項４】
前記光学装置から前記光学装置の有効口径を取得する有効口径取得手段を備え、前記開放絞り値検知手段によって、開放絞り値が得られず、前記焦点距離状態検出手段により、前記光学装置の焦点距離情報が変化した場合は、前記焦点距離の変化量と前記有効口径にもとづいて開放絞り値を算出し、算出された開放絞り値に基づいて、前記線図位置表示を行うことを特徴とする請求項２に記載の撮像装置。
【請求項５】
前記変倍レンズ機構はズームレンズであることを特徴とする請求項２乃至請求項４の何れか一項に記載の撮像装置。
【請求項６】
前記変倍レンズ機構はエクステンダであることを特徴とする請求項２乃至請求項５の何れか一項に記載の撮像装置。
【発明の詳細な説明】
【技術分野】
【０００１】
本発明は、自動露出の連動範囲の表示が可能な撮像装置に関する。
【背景技術】
【０００２】
従来、撮像装置の自動露出制御（ＡＥ）のモードとして、絞りを優先するＡｖモード、シャッタを優先するＴｖモード、シャッタと絞りを優先するＡＧＣモードなどがある。Ａｖモードでは撮影者が絞り値を設定し、撮像装置がシャッタとゲインを変更して撮影を行う。Ｔｖモードでは撮影者がシャッタを設定し、撮像装置が絞りとゲインを変更して撮影を行う。ＡＧＣモードでは撮影者が絞りとシャッタを設定し、撮像装置はゲインを変更して撮影を行う。
【０００３】
特許文献１には、自動露出プログラムにおいて周囲の輝度変化に応じたシャッタ速度と絞り値との組み合わせをプログラム線図として表示する撮像装置について提案されている。しかし、環境光によっては、プログラム線図の端付近となってしまい、環境光の変化に対して他の露出パラメータを利用したオート制御では追従出来ない（適正露出に出来ない）場合があった。
【０００４】
そこで特許文献２には、自動露出プログラムにおける各露出パラメータの組み合わせについて、連動範囲とその位置を関連づけて表示する例が提案されている。すなわち、プログラム線図上の位置とプログラム線図の端までの余裕分を表示することで、環境光が変化した場合に適正露光で撮影が可能であるかの目安を撮影者に提示することができる。
【先行技術文献】
【特許文献】
【０００５】
【特許文献１】特開昭６２−２０１４２７号公報
【特許文献２】特開２０１１−５９４９９号公報
【発明の概要】
【発明が解決しようとする課題】
【０００６】
しかしながら、撮像装置に着脱可能な様々なレンズ装置のなかでは、絞り値の開放端位置の事前把握が困難なものがある。そのようなレンズ装置が撮像装置に装着された場合は、プログラム線図上の位置を正確に把握することが困難となる。さらに、レンズ装置に備わっているエクステンダやズームレンズの操作により開放絞り値が変化する場合があり、開放端位置の把握がより困難となる。
【課題を解決するための手段】
【０００７】
上記の課題を解決するために、本発明に係る撮像装置は、
被写体を撮像するための撮像手段と、前記撮像手段に着脱可能で絞り機構を備えた光学装置と、前記撮像手段により撮像された被写体に対して、任意のプログラム線図に基づいて自動で露出を調整するための自動露出手段と、前記自動露出手段により設定された現在の露出設定値が前記プログラム線図中のどの位置にいるかを算出する線図位置情報算出手段と、を備えた撮影装置であって、前記光学装置から前記絞り機構の開放絞り値を検出するための開放絞り値検知手段と、前記線図位置情報算出手段により算出された線図位置情報を表示するための表示手段と、前記開放絞り値検知手段によって前記開放絞り値が検出できた場合は、前記線図位置情報表示手段によって、信頼性のある値であることを示す線図位置表示を行い、前記開放絞り値検知手段によって、開放絞り値が得らない場合は、前記線図位置情報表示手段によって、信頼性のない値であることを示す線図位置表示を行うことを特徴とする。
【発明の効果】
【０００８】
本発明に係る撮像装置によれば、レンズ装置から取得された絞り値の信頼度に応じて、プログラム線図上の現在位置表示を切り替えることで、現在の露出設定値におけるプログラム線図上の位置を把握することが可能となる。
【図面の簡単な説明】
【０００９】
【図１】デジタルビデオカメラの外観図
【図２】デジタルビデオカメラの内部構成を示すブロック図
【図３】Ｔｖモードにおけるプログラム線図の例
【図４】カメラ制御部１１９および画像処理部１１８が実行するフローチャート
【図５】Ｓ１０３０のサブルーチン
【図６】Ａｖモードにおけるプログラム線図の例
【図７】ＡＧＣモードにおけるプログラム線図の例
【図８】Ｓ１０８０のサブルーチン
【図９】Ｓ１０８６のサブルーチン
【図１０】Ｓ１０９０のサブルーチン
【図１１】プログラム線図位置の文字による画面表示例
【図１２】プログラム線図位置のインジケータによる画面表示例
【発明を実施するための形態】
【００１０】
以下、本発明の実施の形態について図面を参照しながら説明する。
【００１１】
図１は、本発明の実施例１である撮像装置としてのレンズ交換型デジタルビデオカメラ（以下、単にカメラ１００という）の外観を示している。なお、本実施例ではレンズ交換型デジタルビデオカメラについて説明するが、後述する処理は一眼レフカメラやミラーレス一眼カメラなど、レンズ交換式の各種撮像装置において行うことができる。
【００１２】
図１において、モニタ２８および電子ビューファインダ２９は、画像や各種情報を表示する。ＳＴＡＲＴ／ＳＴＯＰボタン６１は撮像（記録）の開始と終了を指示するユーザ（撮影者）により操作される操作部材である。電源／モードスイッチ７２は電源のオン／オフ、撮像モードおよび再生モードを切り替えるためにユーザにより操作される操作部材である。操作パネル７０には、ユーザによる操作を受け付ける各種スイッチ、ボタン等の複数の操作部材が配置されている。コネクタ１２は、カメラ１００から外部モニタや外部記録装置に映像信号を出力するためのコネクタであり、外部出力Ｉ／Ｆ部１２０を構成する。バッテリーカバー１１は、カメラ１００に装填されたバッテリーを保持するカバーである。アクセスランプ１３は、記録用のカードスロットの状態を表示するランプである。
【００１３】
図２は、カメラ１００の内部構成を示している。なお、図２では、機能ごとに構成要素として分けて示しているが、これらは１つまたは複数のＡＳＩＣやプログラマブルロジックアレイ（ＰＬＡ）等のハードウェアによって実現されてもよい。また、ＣＰＵやＭＰＵ等のプログラマブルプロセッサがソフトウェアを実行することによって実現されてもよい。
【００１４】
カメラ１００は、図１に示したモニタ２８、電子ビューファインダ２９およびアクセスランプ１３を含む表示部１０７を有する。外部出力部１２１は、カメラ１００の外面に露出しており、外部出力Ｉ／Ｆ部１２０に接続されている。
【００１５】
交換レンズ１０１は、フォーカスレンズ、ズームレンズ、絞り、防振用シフトレンズ、エクステンダ等を含む撮影光学系（図示せず）を収容している。ＮＤフィルタ１０３は、交換レンズ１０１に設けられた絞りとは別に入射光量を調整する（減少させる）ためにカメラ１００内に設けられている。
【００１６】
撮像素子１０２は、それぞれ光電変換素子を含む複数の画素が２次元配列された構成を有する。撮像素子１０２は、撮影光学系により形成された被写体像（光学像）を画素ごとに光電変換、つまりは撮像してアナログ信号を生成し、これをＡ／Ｄ変換回路によりデジタル信号に変換して画素単位のＲＡＷ画像データを出力する。
【００１７】
メモリＩ／Ｆ部１１６は、撮像素子１０２から出力された全画素分のＲＡＷ画像データをメモリ１１７に書き込んだり、メモリ１１７に保持されたＲＡＷ画像データを読み出して画像処理部１１８に出力したりする。メモリ１１７は、数フレーム分の全画素ＲＡＷ画像データを格納する揮発性の記憶媒体である。
【００１８】
画像処理部１１８は、メモリＩ／Ｆ部１１６からの全画素分のＲＡＷ画像データに対してガンマ補正、色分離、色差マトリクス等の処理を施し、同期信号を加えて記録用または表示用の映像データとして出力する。また画像処理部１１８は、画像処理部１１８に入力されたＲＡＷ画像データ各画素の輝度値から測光値を得て後述するカメラ制御部１１９へ提供する。
【００１９】
カメラ制御部１１９は、ＣＰＵ、ＲＯＭ、ＲＡＭ等を備え、ＣＰＵがＲＯＭに格納されたコンピュータプログラムをＲＡＭの作業領域に展開して実行することにより、カメラ１００の動作全体を制御する。また、カメラ制御部１１９は、ＲＯＭに記憶されたコンピュータプログラムを実行することで、後述する処理を実行する。ＲＡＭは、カメラ制御部１１９の動作用の定数や変数を保持したり、ＲＯＭから読み出したプログラム等を展開したりする。後述する評価値算出処理や露出制御処理はカメラ制御部１１９で実行される。
【００２０】
記録媒体Ｉ／Ｆ部１０４は、記録媒体１０５とカメラ１００とのインタフェースであり、記録媒体１０５に対する画像処理部１１８から入力された映像データの記録や記録された映像データの読み出しを制御する。記録媒体１０５は、半導体メモリ等で構成されている。
【００２１】
表示用Ｉ／Ｆ部１０６は、画像処理部１１８からの映像データおよびＧＰＵ１１５で描画されてＶＲＡＭ（Ｖｉｄｅｏ  ＲＡＭ）に保持された画像データに対して重畳合成処理やリサイズ処理を行い、該処理後の映像または画像データを表示部１０７に出力する。表示部１０７は、表示用Ｉ／Ｆ部１０６から出力された映像データを画角確認用に表示する。ＧＰＵ１１５は、ビデオカメラの各種情報表示やメニュー画面をＶＲＡＭに描画するレンダリングエンジンである。
【００２２】
ゲイン制御部１０９、シャッタ制御部１１０、ＮＤ制御部１１１および絞り制御部１１２は露出制御のために設けられている。カメラ制御部１１９は画像処理部１１８から提供される前述の測光値、あるいはユーザがマニュアル設定した動作パラメータに基づき、各制御部１０９〜１１２を制御する。ゲイン制御部１０９は、撮像素子１０２のゲインを制御する。シャッタ制御部１１０は、撮像素子１０２のシャッタスピードを制御する。ＮＤ制御部１１１は、ＮＤフィルタ１０３を介して撮像素子１０２に入射する光量を制御する。絞り制御部１１２は、交換レンズ１０１の絞り機構を制御する。絞り制御部１１２は、交換レンズ１０１から現在の絞り値や開放絞り値を取得する。
【００２３】
カメラ制御部１１９は、評価値算出機能や露出制御機能を備える。前述の画像処理部１１８から出力された測光値から、撮影された映像が適正な露出状態であるかどうかを判定するための評価値を算出する。評価値の算出結果を受けて、ゲイン制御部１０９、シャッタ制御部１１０、ＮＤ制御部１１１および絞り制御部１１２に対して制御指令を出す。あらかじめ設定されているプログラム線図を元に、適正な被写体像の輝度レベルを得るまで繰り返し実行される。例えばＴｖモードが選択された場合のプログラム線図を図３に示す。
【００２４】
カメラ制御部１１９は、交換レンズ１０１上に設けられたＡＦ／ＭＦスイッチ１３５の操作を通じてユーザによりＡＦ（オードフォーカス）モードが選択されている場合は、フォーカス制御部１１３を介してＡＦ制御を行う。具体的には、焦点検出部１０８が撮像素子１０２から出力された映像データの高周波成分からコントラスト評価値信号を生成する。カメラ制御部１１９は、該コントラスト評価値信号がピークとなる合焦位置を探索するようにフォーカスレンズの駆動を制御する。一方、ＡＦ／ＭＦスイッチ１３５の操作を通じてＭＦ（マニュアルフォーカス）モードが選択されている場合は、カメラ制御部１１９はＡＦ制御を停止する。これにより、ユーザによる交換レンズ１０１上に設けられたフォーカスリング１３４の回転操作に応じたフォーカスレンズの位置調整が可能となる。
【００２５】
カメラ制御部１１９は、交換レンズ１０１上に設けられたＳｅｒｖｏ／Ｍａｕａｌスイッチ１３９の操作を通じて、ユーザによりＳｅｒｖｏモードが選択されている場合は、ズーム制御部１３６を介してズーム制御を行う。具体的には、後述する外部操作部１２３に設けられた不図示のズーム操作部材により操作された信号が外部操作用Ｉ／Ｆ部１２２を通じてカメラ制御部１１９に入力される。カメラ制御部１１９は、入力されたズーム操作部材の操作量にもとづいてズーム制御部１３６を経由してスピード制御あるいはポジション制御などを行う。カメラ制御部１１９は、ズーム制御部１３６を通じて、交換レンズ１０１のズームレンズの位置情報や焦点距離情報を取得することができる。一方、Ｓｅｒｖｏ／Ｍａｕａｌスイッチ１３９の操作を通じてＭａｎｕａｌモードが選択されている場合は、カメラ制御部１１９あるいは交換レンズ１０１はズーム制御を停止する。これにより、ユーザによる交換レンズ１０１上に設けられたズームリング１３８の回転操作に応じたズームレンズの位置調整が可能となる。
【００２６】
交換レンズ１０１に設けられたＥＸＴ切替スイッチ１４０は、交換レンズ１０１に備わったエクステンダを切り替えるために用いられる。カメラ制御部１１９はＥＸＴ状態取得部１３７を通じて、交換レンズ１０１のエクステンダの倍率情報を取得することができる。またこのとき、交換レンズ１０１からはエクステンダ有効時の焦点距離情報を得ることができる。焦点距離を大きくしたとき、有効口径を超える開口絞り値が必要になった場合に撮像素子に入射する光量が落ちることが知られている。このとき、Ｆドロップと呼ばれる現象が発生し、本来よりも絞られた位置が開放絞り位置となることがある。
【００２７】
カメラ制御部１１９は、画像処理部１１８からの映像データ（連続するフレーム画像）から撮像中に生じた振れを示す情報（振れ情報）としての動きベクトルを検出する。そして、カメラ制御部１１９は、検出した動きベクトルに基づいて、光学防振制御部１１４を通じ交換レンズ１０１内の防振用シフトレンズを用い、像振れを低減（補正）するように光軸に直交する方向に移動（シフト）させる光学防振処理を行う。
【００２８】
外部出力Ｉ／Ｆ部１２０は、画像処理部１１８からの映像データにリサイズ処理を行ったり外部出力部１２１の規格に適した信号変換および制御信号の付与を行ったりして、その結果得られた映像データを外部出力部１２１に出力する。外部出力部１２１は、映像データを外部出力する端子であり、ＳＤＩ端子やＨＤＭＩ（登録商標）端子等である。外部出力Ｉ／Ｆ部１２０には、モニターディスプレイや外部記録装置が接続可能である。
【００２９】
外部操作用Ｉ／Ｆ部１２２は、外部操作部１２３による制御指示を受信し、カメラ制御部１１９へ通知するインタフェースであり、赤外線受光部、無線ＬＡＮインタフェースおよびＬＡＮＣ（登録商標）端子等のリモコン受信部に相当する。外部操作部１２３は、外部操作用Ｉ／Ｆ部１２２に対して各種指示を送信するリモコン送信部に相当する。
【００３０】
次に、カメラ１００においてカメラ制御部１１９が行う露出制御処理について、図４のフローチャートを用いて説明する。
【００３１】
カメラ１００に電源が投入されると、前述の通りカメラ制御部１１９にはコンピュータプログラムがロードされ、図４のＳ１０１０から順番に処理が実行される。なお、図４のＳ１１００まで処理が実行されると再びＳ１０２０からループ処理されることとなるが、Ｓ１０２０からＳ１１００までの処理は１フレームごとに行われるものとして説明する。
【００３２】
図４のＳ１０１０では、カメラ１００の電源投入時におけるカメラ制御部１１９の初期化処理が実行される。例えば、ゲイン制御部１０９に対しては、ゲインが０ｄＢを設定する。シャッタ制御部１１０に対しては、シャッタ速度を１／６０秒に設定する。ＮＤ制御部１１１に対しては、最大の透過率となるＮＤフィルタを設定する。絞り制御部１１２に対しては開放絞り値を設定する。各制御部１０９〜１１２は、設定された値にしたがって制御する。
【００３３】
次に、図４のＳ１０２０では露出モードの設定を行う。ユーザは図２の外部操作部１２３を操作し、Ｔｖモード、Ａｖモード、ＡＧＣモードのうちいずれか１つの露出モードを選択する。選択された露出モードは、外部操作用Ｉ／Ｆ部１２２を経由し、カメラ制御部１１９へ通知され、露出モードとして設定される。
【００３４】
図４のＳ１０３０ではプログラム線図の切り替えを行う。Ｓ１０３０のサブルーチンを図５に示す。
【００３５】
図５のＳ１０３１では前述のＳ１０２０で選択された露出モードの判定を行う。ＴｖモードであればＳ１０３２へ進み、ＡｖモードであればＳ１０３３へ進み、ＡＧＣモードであればＳ１０３４へ進む。Ｓ１０３２ではＴｖプログラム線図が設定される。Ｔｖプログラム線図は図３で示した通りである。Ｓ１０３３ではＡｖプログラム線図が設定される。Ａｖプログラム線図の例を図６に示す。Ｓ１０３４ではＡＧＣプログラム線図が設定される。ＡＧＣプログラム線図の例を図７に示す。Ｓ１０３２、Ｓ１０３３、Ｓ１０３４のいずれかが実行されると、図５のサブルーチンを終了し、図４のＳ１０４０へ進む。
【００３６】
図４のＳ１０４０では撮像処理が行われる。前述までに設定されたゲインおよびシャッタ速度にもとづいて、撮像素子１０２が撮像制御される。設定されたシャッタ速度による撮像が行われたあと、前述の通りＲＡＷ画像が出力され、画像処理部１１８への出力およびメモリ１１７への格納が行われる。
【００３７】
図４のＳ１０５０では適正露出判定処理が行われる。前述の通り、カメラ制御部１１９は画像処理部１１８から測光値を取得し、撮影された映像が適正な露出状態であるかどうかを判定するための評価値を算出する。評価値の算出結果があらかじめ設定されている評価値の目標値と同じ値となっているか判定する。
【００３８】
図４のＳ１０６０では、Ｓ１０５０での判定結果を受けて、Ｓ１０５０で算出した評価値と、前述のあらかじめ設定されている目標値と同じになるように露出パラメータを設定する。図４のＳ１０３０で設定したプログラム線図上でＥＶ値をシフトさせて、各ＥＶ値にしたがったゲイン値、シャッタ速度、絞り値などを各制御部１０９〜１１２に設定する。
【００３９】
図４のＳ１０７０ではカメラ１００に装着された交換レンズ１０１と通信を行う。Ｓ１０６０で設定された絞り値を絞り制御部１１２を通じて、交換レンズ１０１に反映させる。また、交換レンズ１０１の焦点距離情報、フォーカス位置情報、エクステンダ位置情報、開放絞り値と絞り値の情報などを取得する。このとき、開放絞り値が取得できた場合は開放絞り値を記憶すると共に、開放絞り値取得可否フラグを真と設定する。開放絞り値が取得できなかった場合は、開放絞り値取得可否フラグを偽と設定する。ただし、開放絞り位置が取得できない場合でも、交換レンズ１０１に設定された絞り値に対して取得された絞り値に至らない場合は、開放端に達したと判定し、開放絞り値取得可否フラグを真と設定する。また、ズームやエクステンダなどの操作が行われ、焦点距離が変化した場合は、Ｆドロップと呼ばれる現象が発生することになる。この場合は開放絞り値が変化することとなるため、開放絞り値取得可否フラグを偽と設定する。
【００４０】
図４のＳ１０８０ではプログラム線図位置算出を行う。Ｓ１０８０のサブルーチンを図８に示す。
【００４１】
図８のＳ１０８１では交換レンズ１０１の開放絞り値の取得可否について判定する。図４のＳ１０７０で設定した開放絞り値取得可否フラグが真である場合はＳ１０８２へ進み、偽である場合はＳ１０８３へ進む。
【００４２】
図８のＳ１０８２では絞り位置を算出する。絞り位置の算出式を式（１）に示す。式（１）中の開放絞り値とは、Ｓ１０７０で取得された値である。Ｃｌｏｓｅ側絞り値とは、プログラム線図上最もＣｌｏｓｅ側にとしている絞り値である。すなわち、プログラム線図上の絞り機構の可動範囲において、開放側を１００％とした場合の現在絞り位置の割合が算出される。
【００４３】
絞り位置［％］＝（｜現在絞り置−Ｃｌｏｓｅ側絞り値｜×１００）
／｜開放絞り値−Ｃｌｏｓｅ側絞り値｜・・・式（１）
図８のＳ１０８３では、絞り位置を１００［％］に設定する。Ｓ１０７０において、開放絞り値が取得できなかった場合は、絞り値の動作範囲が判断できないと判断する。このとき、得られた絞り値の信頼性が無いものと判定し、絞り位置を１００［％］とすることで、後述するプログラム線図位置を算出したときに、プログラム線図位置における現在位置と端位置との最低余裕分を把握することができる。
【００４４】
図８のＳ１０８４ではゲイン位置を算出する。ゲイン位置の算出式を式（２）に示す。プログラム線図上のゲイン値の可動範囲において、最大ゲイン値を１００％とした場合の現在ゲイン値の割合が算出される。
【００４５】
ゲイン位置［％］＝（｜現在ゲイン値−最低ゲイン値｜×１００）
／｜最大ゲイン値−最低ゲイン値｜・・・式（２）
図８のＳ１０８５ではシャッタ位置を算出する。シャッタ位置の算出式を式（３）に示す。ゲイン位置と同様に、プログラム線図上のシャッタ値の可動範囲において、最長シャッタ速度を１００％とした場合の現在シャッタ値の割合が算出される。ただし、シャッタ値は一般的に１／Ｘ秒で示されることが多く、そのままの値では正しいシャッタ位置が算出されない。そこで、現在シャッタ値、最短シャッタ値、最長シャッタ値、最短シャッタ値は−ｌｏｇ２（シャッタ速度）などでＴｖ値に変換したうえで式（３）を用いると良い。
【００４６】
シャッタ位置［％］＝（｜現在シャッタ値−最短シャッタ値｜×１００）
／｜最長シャッタ値−最短シャッタ値・・・式（３）
図８のＳ１０８６ではＳ１０８２からＳ１０８５までで算出された各位置を露出モード別に集計し、プログラム線図上の位置を算出する。Ｓ１０８６のサブルーチンを図９に示す。
【００４７】
図９のＳ１０８６１では露出モードを判定を行う。ＴｖモードであればＳ１０８６２へ進み、ＡｖモードであればＳ１０８６３へ進み、ＡＧＣモードであればＳ１０８６４へ進む。
【００４８】
図９のＳ１０８６２ではＴｖモードにおけるプログラム線図位置が集計される。この算出式を式（４）に示す。
【００４９】
Ｔｖモードプログラム線図位置＝（ゲイン位置＋絞り位置）／２・・・式（４）
図９のＳ１０８６３ではＡｖモードにおけるプログラム線図位置が集計される。この算出式を式（５）に示す。
【００５０】
Ａｖモードプログラム線図位置＝（ゲイン位置＋シャッタ位置）／２・・・式（５）
図９のＳ１０８６４ではＡｖモードにおけるプログラム線図位置が集計される。この算出式を式（５）に示す。
【００５１】
ＡＧＣモードプログラム線図位置＝ゲイン位置・・・式（６）
図９のＳ１０８６２、Ｓ１０８６３、Ｓ１０８６４のいずれかが実行されると、図９および図８のサブルーチンを終了し、図４のＳ１０９０へ進む。
【００５２】
図４のＳ１０９０ではプログラム線図位置を表示する。Ｓ１０８０で算出されたプログラム線図位置を表示用Ｉ／Ｆ部１０６を経由し表示部１０７に表示する。Ｓ１０９０のサブルーチンを図１０に示す。
【００５３】
図１０のＳ１０９１では、図８のＳ１０８１と同様に開放絞り値取得可判定を行う。図４のＳ１０７０で設定した開放絞り値取得可否フラグが真である場合はＳ１０９２へ進み、偽である場合はＳ１０９３へ進む。
【００５４】
図１０のＳ１０９２では図８のＳ１０８６で算出されたプログラム線図位置がレンジＡ内であるかを判定する。レンジＡの値は任意の範囲で良い。例えば、レンジＡを１０％から９０％などと設定する。算出されたプログラム線図位置がレンジＡよりも外側にいる（１０％未満あるいは９００％より大きい）場合はプログラム線図上の余裕分が無くなってきたことを判定することができる。Ｓ１０９２が真である場合はＳ１０９４へ進み、偽である場合Ｓ１０９５へ進む。
【００５５】
図１０のＳ１０９３では、Ｓ１０８０で算出されたプログラム線図位置が信頼性の無いものであると判定し、信頼性無し表示色設定として例えばグレー色を設定する。ここで設定された表示色で後述するプログラム線図位置表示を行う。
【００５６】
図１０のＳ１０９４では、Ｓ１０８０で算出されたプログラム線図位置が信頼でき、かつレンジＡ内に位置している線図位置と判断され、通常の表示色（例えば白色）が設定される。
【００５７】
図１０のＳ１０９５では、Ｓ１０８０で算出されたプログラム線図位置がレンジＡ外にあり、ユーザへ警告表示を行うための警告表示色（例えば黄色や赤色）を設定する。
【００５８】
図１０のＳ１０９６ではＳ１０９３からＳ１０９５で設定された表示色により、Ｓ１０８０で算出されたプログラム線図位置が画面に表示される。プログラム線図位置の画面表示例を図１１に示す。図１０で設定された表示色は、図１１で表示しているＡＥ（７５％）の文字表示色を変更する。Ｓ１０９６が実行されると図４のＳ１１００へと進む。
【００５９】
図４のＳ１１００では、前述の通り外部操作部１２３から映像データが出力される。このとき、ビデオカメラのプログラム線図位置の表示を含む各種情報表示が映像データに重畳される。
【００６０】
このように、取得された絞り値の信頼度に応じて、プログラム線図位置の表示色を切り替えることによって、表示されているプログラム線図位置の信頼度をユーザに視認させることができる。カメラ１００に装着された交換レンズ１０１から開放絞り値が取得できなかったとしても、例えばグレー色によるプログラム線図位置が表示される。本発明では、絞り位置を１００％としてプログラム線図位置を算出しているため、グレー色によるプログラム線図位置の最大位置に対する最低余裕分は保証することができる。また、グレー色表示状態であったとしても絞り機構を制御する過程で開放端やＣｌｏｓｅ端に達した場合は、Ｓ１０７０で説明したように、開放絞り値取得可否フラグが真となるため、白色表示に復帰させることができる。
【００６１】
以上、本発明の好ましい実施形態について説明したが、本発明はこれらの実施形態に限定されないことはいうまでもなく、その要旨の範囲内で種々の変形及び変更が可能である。
【００６２】
なお、本稿で述べた露出モードを組み合わせ、すべて自動となる露出モードで実施しても本発明が適用できる。また、ＮＤ制御部１１１を含めた自動露出として実施しても良い。
【００６３】
また、図１０および図１１では、プログラム線図位置を文字によって示す表示例を示したが、図１２に示すようにインジケータを用いたＧＵＩ（Ｇｒａｐｈｉｃ  Ｕｓｅｒ  Ｉｎｔｅｒｆａｃｅ）としても良い。
【００６４】
また、Ｓ１０７０で説明したようにズームやエクステンダが操作された場合は、開放絞り値取得可否フラグが偽と設定されるが、以下の式（７）によって、装着された交換レンズ１０１の開放絞り値を計算することができる。計算された開放絞り値にもとづき、プログラム線図位置を再計算しても良い。なお、有効口径とは交換レンズ１０１が備えるものであり、レンズごとに異なる。有効口径値は、交換レンズ１０１から取得しても良いし、レンズごとにあらかじめプログラムなどに保持しても良い。
【００６５】
開放絞り値＝焦点距離［ｍｍ］／有効口径［ｍｍ］・・・式（７）
以上、本発明を実施するための好ましい実施形態について説明したが、本発明は上述の構成に限定されるものでなく種々の実施形態および変形例に適用可能である。
【符号の説明】
【００６６】
１００  カメラ、１１  バッテリーカバー、１２  コネクタ、
１３  アクセスランプ、２８  モニタ、２９  電子ビューファインダ、
６１  ＳＴＡＲＴ／ＳＴＯＰボタン、７０  操作パネル、
７２  電源／モードスイッチ、１０１  交換レンズ、１０２  撮像素子、
１０３  ＮＤユニット、１０４  記録媒体Ｉ／Ｆ部、１０５  記録媒体、
１０６  表示用Ｉ／Ｆ部、１０７  表示部、１０８  焦点検出部、
１０９  ゲイン制御部、１１０  シャッタ制御部、１１１  ＮＤ制御部、
１１２  絞り制御部、１１３  フォーカス制御部、１１４  像ブレ補正制御部、
１１５  ＧＰＵ、１１６  メモリＩ／Ｆ部、１１７  メモリ、１１８  画像処理部、
１１９  カメラ制御部、１２０  外部出力用Ｉ／Ｆ部、１２１  外部出力部、
１２２  外部操作用Ｉ／Ｆ部、１２３  外部操作部、１２４  メニューキー、
１２５  十字キー、１２６  ダイヤル、１２７  ＳＥＴキー、
１２８  キャンセルキー、１２９  ワンショットＡＦキー、
１３０  ＡＦロックキー、１３１  拡大キー、１３２  ＤＩＳＰＬＡＹキー、
１３３  ＳＴＡＲＴ／ＳＴＯＰキー、１３４  フォーカスリング、
１３５  ＡＦ／ＭＦスイッチ、１３６  ズーム制御部、１３７  ＥＸＴ状態取得部、
１３８  ズームリング、１３９  Ｓｅｒｖｏ／Ｍａｎｕａｌスイッチ、
１４０  ＥＸＴ切替スイッチ
【図１】
2018189674.tif 000003
【図２】
2018189674.tif 000004
【図３】
2018189674.tif 000005
【図４】
2018189674.tif 000006
【図５】
2018189674.tif 000007
【図６】
2018189674.tif 000008
【図７】
2018189674.tif 000009
【図８】
2018189674.tif 000010
【図９】
2018189674.tif 000011
【図１０】
2018189674.tif 000012
【図１１】
2018189674.tif 000013
【図１２】
2018189674.tif 000014